(57)【要約】      （修正有）【課題】従来の製品に比べて、切った草を浮かして次の切り刃を通りやすくし、２度刈りを少なくし、刈り草を外側に排出して巻き付きを防ぎ、顔面への草の飛散を少なくする。【解決手段】刈り刃については高速回転であることから、加工が簡単で装備がシンプルでバランスを良くする。即ち、回転式の草刈り刃において、８枚刃では切り刃の逃げ面を上向きとし、回転体の外周の溝の部分の内側に傾斜したシンニング８を施す。また、草の浮き上がりと、外部への排出を計るために反り面体３，４を上面に設ける。【選択図】図１
2018082686.tif 000002
【特許請求の範囲】
【請求項１】
回転式の草刈り刃において図１、図２で示すように８枚刃では切り刃の逃げ面を上向きとし、回転体の外周の溝の部分の内側に傾斜したシンニングを施した草刈り刃。
【請求項２】
回転式の草刈り刃において、草の浮き上がりと、外部への排出を計るために図１、図２で示すような反り面体を上面に設けた草刈り刃。
【発明の詳細な説明】
【技術分野】
【０００１】本発明は草刈りの刈り刃と、それを構成する回転体において、刈り草を浮きあがらせて外がわに移動をすることで、刈り刃の移動の力を軽くして、さらに根元の周囲につるや草が巻きつくことを防止する刈り刃に関する。
【背景技術】
【０００２】草刈り機の回転体の根元への巻きつき防止は、草を切断して防止する方式のものが主である。回転体の上面に切り刃を別に設けて回転体の根元に来る草を切断する形式となっている。また、別売の外周に切り刃の付いた小さな回転体を上側に回転中心を合わせて装着している。他の例として回転体を支える柄の支柱の部分に別に切り刃をボルトなどで装着している。
【先行技術文献】
【特許文献】
【０００３】
【特許文献１】特許第４１３７７５８号  特許公報
【非特許文献】
【０００４】
【非特許文献１】特開２０１３−８１４４４  公開特許公報
【発明の概要】
【発明が解決しようとする課題】
【０００５】従来の発明では回転体の根元への巻きつきをある程度は防止できるが、次のような負の要素を生んでいる。１−巻きつき防止用の刃で少なくとも２度目の切断をしているので、抵抗力が増加することになる。２−切った草を後方の刃で切断することが多く、抵抗が増すことになる。３−刈った草が回転体の上部に留まることで、刃の移動が重くなる。４−巻き付き防止の能力が十分ではない。５−このような工作にはコストが多くかかり、作業中において上部の切り刃による危険性も増加する。
【課題を解決するための手段】
【０００６】図１は外周の溝の奥側にシンニング（すり鉢状のへこみ面）を作り、さらに回転体の上面に反り面体を設置した例である。この反り面体は上から見れば三角形構造をしており、回転方向の上面からの図で内側の面ほど、しかも回転の後側の面ほど回転面から高くなっている。刈り刃で切断された草はシンニングの傾斜面とこの部分でわずかに持ち上げられて、外側が低くなっているので外側に排出されるように移動する。持ち上げられると、次の刃が１度切られた草に当たることが少なくなり、回転体の動きが軽くなり、操作性が増してくる。巻き付きの低減、操作性の向上など身体的な負荷も軽減され、作業能率は良くなる。図２は８枚刃の刃を上向きにして、刃の逃げ面で一度刈り草を持ち上げるようにし、さらに溝の部分にすり鉢状のシンニングを施して、刈り草を持ち上げ抵抗を減らしている。（図１、図２で示す回転体は孔があると孔の面積によるが、下面から上面への空気の流動が起こり、円周方向に流れる空気流が強くなる効果も出やすい。）
こうすることで、刈る動作の抵抗を軽減する効果が大きく出る。さらに内側には示すように草の排出用の反り面体を設ければ巻き付き防止のさらなる効果が発揮される。【０００７】刈られた草の運動は瞬時に浮くことで刈り刃への抵抗を減らすと同時に回転中心へ刈り草が集まらない方向に動く。【０００８】さらに外周の溝の底の部分は刈り草の逃げの要素を加味した工夫がなかった。刈られた草の茎などはこの溝に直に当たり抵抗となっていた。この部分にドリルの刃先に見られるすり鉢状に似たシンニングの逃げ面を上方に作ることで、草の上方への移動をしやすくして、もって巻き付きと回転体の移動を軽くする効果を加味した。
【発明の効果】
【０００９】刈られた草が外周の溝のシンニング部分で持ち上げられ、刃の移動を軽くする。さらに、内側の反り面体の上でも草が持ち上げられて刃の移動を軽くして、外側に排出するように作用する。そこでも排出ができなかった草で、内側に入ってくる草を回転中心の近くの反り面体で外側に排出することで、巻き付きの防止をする。
刈られた草が浮き上がることで、重複の刈りが少なくなり、刃の移動の抵抗が少なくなるので、労力の軽減につながり、作業能率がよくなる。草の移動が外周方向となって、回転中心付近に草が集まらなくなり、巻き付きの防止と顔の付近に破片が飛んでくることも少なくなる。上面に草が留まることよりは上に浮かせることの方が労力は少なくなり、機械のエンジンへの負荷も少なくなる。さらに、巻き付きが減って総合的に作業能率の大幅な向上が計られる。
【図面の簡単な説明】
【００１０】
【図１】本発明においてチップソーに適用した図である。
【図２】本発明において８枚刃の刈り刃に適用した図である。
【発明を実施するための形態】
【００１１】１、切った草を浮かして次の切り刃を通りやすくする。２、２度刈りを少なくする。３、刈り草を外側に排出して巻き付きを防ぐ。
刈り刃については高速回転であることから、これら３項目を実現するためには加工が簡単で装備がシンプルでバランスが良いことがあげられる。図１はチップソーに適用したものである。図２は８枚刃の刈り刃に適用したものである。
【実施例】
【００１２】図１、図２にはシンニング（８）の部分が示されている。これのみでも効果は期待できるが、巻き付き防止能力をさらに向上するには内側に反り面体を付ける必要がある。これらのものは実際に作って、使ってみれば優れた動作を示す。すなわち刈る動作の抵抗が少なくなる。刈られた草が上面の上に浮くようになり、８枚刃では刃面の逃げ面の傾斜とシンニングの上面で外側への草の排出が起こりやすくなる。さらに内側の反り面体で外周方向への草の飛散が多くなって巻き付く確率の少なさなどが実感できる。休耕田などの数年刈られていない草には特に威力を発揮する。
【産業上の利用可能性】
【００１３】田舎においては休耕田畑・道路則面・空き地の手入れなど体で支える草刈り機の使用が多い。草刈りはかなりの重労働で長時間はしないように定められている。草刈りの左右に刈る動作は抵抗が多ければそれだけ疲労が多く、能率は悪くなる。この抵抗を少なくして能率を向上する。同時に中心付近への草の巻き付きを減らし、さらに顔付近への草の飛散を少なくするなどで、草刈りの労力の低減を計る。
【符号の説明】
【００１４】  １  装着用の孔、２  止め具との適正間隔、３  刈り草の持ち上げと外周への排出用の反り面体、４  刈り草の外周への排出用の反り面体（主に巻き付き防止用）、５  回転体の止め具の想像の外周線、６  チップソーのチップ  ７、外周の溝との距離（５〜１３ｍｍがよい）、８  シンニング部、９  他の反り面体の形状案（参考）、１０  ８枚刃の刃（上向き）、１１  回転体
【図１】
2018082686.tif 000003
【図２】
2018082686.tif 000004
【手続補正書】
【提出日】平成29年10月30日(2017.10.30)
【手続補正１】
【補正対象書類名】明細書
【補正対象項目名】０００７
【補正方法】変更
【補正の内容】
【０００７】刈られた草の運動は瞬時に浮くことで刈り刃への抵抗を減らし、回転体に草がまつわりつくことを防止する。さらに、刈り草が外周方向に移動する効果が出て、回転中心へ集まらない方向に動く。草の浮く作用については回転力による「くさび作用」で反り面体の傾斜角度によるが、おおむね回転力の数十分の１の力で持ち上げられ、刈り刃に掛かる抵抗が従来の刈り刃の抵抗より大幅に軽減されることで、回転動力への抵抗の低減によって燃料の節約と、回転刃の移動にかかる労力の軽減で、人体の疲労を少なくすることができて、総体として省エネルギーになる。図２の８枚刃の切り刃と切り刃をつなぐ部分の上面の角を外側に向けて面取りをしての効果は４枚刃・３枚刃の草刈りの回転体についても同様の作用をする。すなわち、刈られた草を「くさび作用」で浮き上がらせて抵抗を軽減できることが分かり、従来のものに比べて一回の刈る動作のストロークで奥行きと幅を大きくできて、しかも省エネルギーで能率の向上ができる。今までこのような工夫がなかったことは驚きである。
【手続補正２】
【補正対象書類名】特許請求の範囲
【補正対象項目名】請求項１
【補正方法】変更
【補正の内容】
【請求項１】
図１で示すように回転式の草刈り刃において、草の浮き上がりと、外部への排出を計るために反り面体４を上面に設けた草刈り刃。さらに、チップソーの溝の部分に図にしめすように上面側に面とりに似た傾斜面を持った草刈り刃。
【手続補正３】
【補正対象書類名】特許請求の範囲
【補正対象項目名】請求項２
【補正方法】変更
【補正の内容】
【請求項２】
回転式の草刈り刃において、図２で示す例のような８枚刃では、切り刃の逃げ面を下向きまたは上向きとし、草の浮き上がりと、外部への排出を計るために、切り刃と切り刃をつなぐ溝の部分の上面側に、面とりに似た傾斜面を持った草刈り刃。回転面の上面の反り面体４は設けなくても、設けてもよい。
【手続補正５】
【補正対象書類名】図面
【補正対象項目名】図２
【補正方法】変更
【補正の内容】
【図２】
2018082686.tif 000005